(57)【要約】【課題】ボビン構造が簡単であり、ピン端子へ引出部が容易に引出され巻回されたコイル部品の提供。【解決手段】  端子台３１の底面３１Ｚからの突出量はピン支持部３１Ａでは小さく、ピン支持部３１Ｂでは大きい。ピン支持部３１Ｂの突出量は、巻線５０の引出部５０Ａを、裾部３１Ｔからピン端子３１Ｇの周面上の位置であって後述の引出部５０Ａが後述のピン端子３１Ｇに巻回される位置へと仮想的に直線状に引出したときの当該仮想的な引出部５０Ａ´よりも、当該ピン支持部３１Ｂの突出端がＺ軸−側の位置となるような量である。ピン支持部３１Ａの突出量とピン支持部３１Ｂの突出量との差は１ｍｍ程度である。ピン支持部３１Ｂには、仮想的な引出部５０Ａ´が交差する。【選択図】図４
2011187620.tif 000002
【特許請求の範囲】
【請求項１】
絶縁材料からなり被巻回部と掛け部と該被巻回部の端部に設けられた端子台とを有するボビンと、
絶縁被膜により被覆された導線からなり、該被巻回部に巻回された巻回部と該巻回部から引出され該掛け部に掛けられた引出部とを有する少なくとも１本の巻線と、
該端子台から突出して設けられ少なくとも一のピン支持部と他のピン支持部とを有するピン支持部と、
該ピン支持部の突出方向へ該ピン支持部の突出端部からそれぞれ延出し該ピン支持部に支持され、基部又は基部近傍に該引出部の端部が電気的に接続されたピン端子と、を備え、
該ピン端子の延出方向が実装基板の表面に対して略垂直となるように該実装基板の表面に実装されるコイル部品であって、
該他のピン支持部は、該掛け部から該一のピン支持部に支持される一の該ピン端子の周面へと該引出部を仮想的に直線状に引出したときの仮想的な引出部に交差し、
該端子台からの該他のピン支持部の突出量が該一のピン支持部の突出量よりも大きく、該他のピン支持部の突出量は、該仮想的な引出部よりも該他のピン支持部の突出端が突出方向下流側に位置する量であることを特徴とするコイル部品。
【請求項２】
該一のピン端子には、該一のピン端子の基部から該他のピン支持部の突出端に相当する位置よりも突出方向下流側に至るまで該引出部の端部が巻回され、
該他のピン支持部の突出端に相当する位置よりも突出方向下流側において該引出部の端部は該一のピン端子に電気的に接続されていることを特徴とする請求項１記載のコイル部品。
【請求項３】
少なくとも３つの該ピン支持部が一の方向へ並んで配置され、該３つのピン支持部は、それぞれ該一の方向において上流側に位置する該ピン支持部の突出量が下流側に位置する該ピン支持部の突出量よりも大きい関係を有することを特徴とする請求項１又は請求項２記載のコイル部品。
【発明の詳細な説明】
【技術分野】
【０００１】
本発明はコイル部品に関し、特にボビンの端子台に設けられた複数の端子電極に、ボビンに巻回された複数の巻線の一端部、他端部がそれぞれ１本ずつ電気的に接続されるコイル部品に関する。
【背景技術】
【０００２】
巻線がボビンに巻回されている構成のトランス等のコイル部品が従来より知られている。ボビンは略筒形状部を有しており、略筒形状部の周面には絶縁被覆導線からなる複数の巻線が巻回されている。巻線の一部であって略筒形状部の周面に巻回されている部分は巻回部をなし、巻回部よりも巻線の一端寄りの部分及び他端寄りの部分は引出部をなす。
【０００３】
略筒形状部の軸方向における端部には端子台が設けられている。端子台には、コイル部品が実装基板に実装されたときに、実装基板の表面に対して垂直をなす方向へ指向する複数のピン端子が設けられている。また、端子台には、コイル部品の外方へ突出する巻線掛け部が設けられており、巻線掛け部には、巻線の引出部が掛けられ、引出部はピン端子の方へ引出されている。そして巻線の一端部又は他端部は一つずつピン端子に巻回され、ピン端子に電気的に接続されて継線させている。このようなコイル部品は、例えば、特開平８−１１１３２３号公報（特許文献１）に記載されている。
【先行技術文献】
【特許文献】
【０００４】
【特許文献１】特開平８−１１１３２３号公報
【発明の概要】
【発明が解決しようとする課題】
【０００５】
しかし、上述した従来のコイル部品では、前述のように巻線の引出部は、巻回部から引出され、巻線掛け部に掛けられ、ピン端子の方へ引出されていた。このため、コイル部品の製造工程において引出部を巻線掛け部に掛ける作業やピン端子への巻回作業が煩雑となり、また、このような巻線掛け部を設けるためボビン構造も複雑になっていた。
【０００６】
そこで本発明は、ボビン構造が簡単であり、ピン端子へ引出部が容易に引出され巻回されたコイル部品を提供することを目的とする。
【課題を解決するための手段】
【０００７】
上記目的を達成するために、本発明は、絶縁材料からなり被巻回部と掛け部と該被巻回部の端部に設けられた端子台とを有するボビンと、絶縁被膜により被覆された導線からなり、該被巻回部に巻回された巻回部と該巻回部から引出され該掛け部に掛けられた引出部とを有する少なくとも１本の巻線と、該端子台から突出して設けられ少なくとも一のピン支持部と他のピン支持部とを有するピン支持部と、該ピン支持部の突出方向へ該ピン支持部の突出端部からそれぞれ延出し該ピン支持部に支持され、基部又は基部近傍に該引出部の端部が電気的に接続されたピン端子と、を備え、該ピン端子の延出方向が実装基板の表面に対して略垂直となるように該実装基板の表面に実装されるコイル部品であって、該他のピン支持部は、該掛け部から該一のピン支持部に支持される一の該ピン端子の周面へと該引出部を仮想的に直線状に引出したときの仮想的な引出部に交差し、該端子台からの該他のピン支持部の突出量が該一のピン支持部の突出量よりも大きく、該他のピン支持部の突出量は、該仮想的な引出部よりも該他のピン支持部の突出端が突出方向下流側に位置する量であるコイル部品を提供している。
【０００８】
他のピン支持部は、掛け部から一のピン支持部に支持される一のピン端子の周面へと引出部を仮想的に直線状に引出したときの仮想的な引出部に交差し、端子台からの他のピン支持部の突出量が一のピン支持部の突出量よりも大きく、他のピン支持部の突出量は、仮想的な引出部よりも他のピン支持部の突出端が突出方向下流側に位置する量であるため、一のピン端子に電気的に接続された巻線が、他のピン支持部に支持されているピン端子に干渉することを確実に防止することができる。
【０００９】
ここで、該一のピン端子には、該一のピン端子の基部から該他のピン支持部の突出端に相当する位置よりも突出方向下流側に至るまで該引出部の端部が巻回され、該他のピン支持部の突出端に相当する位置よりも突出方向下流側において該引出部の端部は該一のピン端子に電気的に接続されていることが好ましい。
【００１０】
一のピン端子には、一のピン端子の基部から他のピン支持部の突出端に相当する位置よりも突出方向下流側に至るまで引出部の端部が巻回され、他のピン支持部の突出端に相当する位置よりも突出方向下流側において引出部の端部は一のピン端子に電気的に接続されているため、コイル部品の製造工程において、各ピン端子に巻回された巻線の引出部の端部をはんだ浴槽に漬けてピン端子に電気的に接続する際に、ピン端子の突出方向をはんだ浴槽の液面に垂直な状態を維持したままはんだ浴槽にピン端子の突出端から漬けてゆき、一のピン端子に巻回された引出部の端部を一のピン端子にはんだ付けすると同時に、他のピン支持部に支持されたピン端子に巻回された引出部の端部を当該ピン端子にはんだ付けすることができる。
【００１１】
また、少なくとも３つの該ピン支持部が一の方向へ並んで配置され、該３つのピン支持部は、それぞれ該一の方向において上流側に位置する該ピン支持部の突出量が下流側に位置する該ピン支持部の突出量よりも大きい関係を有することが好ましい。
【００１２】
少なくとも３つのピン支持部が一の方向へ並んで配置され、３つのピン支持部は、それぞれ一の方向において上流側に位置するピン支持部の突出量が下流側に位置するピン支持部の突出量よりも大きい関係を有するため、３つ以上のピン端子に引出部の端部が一つずつ電気的に接続されている場合に、下流側のピン支持部に支持されているピン端子に電気的に接続された巻線の引出部が、上流側のピン支持部に支持されているピン端子に干渉することを効果的に防止することができる。
【発明の効果】
【００１３】
以上により本発明は、ボビン構造が簡単であり、ピン端子へ引出部が容易に引出され巻回されたコイル部品を提供することができる。
【図面の簡単な説明】
【００１４】
【図１】本発明の実施の形態によるコイル部品を示す斜視図。
【図２】本発明の実施の形態によるコイル部品の分解斜視図。
【図３】本発明の実施の形態によるコイル部品を示す底面図。
【図４】本発明の実施の形態によるコイル部品を示す正面図。
【発明を実施するための形態】
【００１５】
本発明の実施の形態によるコイル部品について図１乃至図４に基づき説明する。図１に示すようにコイル部品１は、具体的にはトランスであり、コア１０と、ボビン２０と、巻線５０とを有している。以下の説明では、図１の右上と左下とを結ぶ方向をＸ軸方向と定義し、図１の右下と左上とを結ぶ方向をＹ軸方向と定義し、Ｘ軸方向及びＹ軸方向に垂直をなす方向をＺ軸方向と定義する。更に、図１の右上方から左下方へ向かう方向をＸ軸＋方向と定義し、その反対の方向をＸ軸−方向と定義する。また、図１の右下方から左上方へ向かう方向をＹ軸＋方向と定義し、その反対の方向をＹ軸−方向と定義する。また、図１の下方から上方へ向かう方向をＺ軸＋方向と定義し、その反対の方向をＺ軸−方向と定義する。
【００１６】
図２に示すように、コア１０は同一形状で一対設けられている。コア１０は、底壁部１０Ａと、当該底壁部１０Ａの一端と他端とからそれぞれ離間するように延出する一対の側壁部１０Ｂと、当該底壁部１０Ａの中央部から離間するように延出する中央壁部１０Ｃとをそれぞれ有し、全体として略Ｅ字形状をなしている。一方のコア１０の一対の側壁部１０Ｂの延出端は、それぞれ他方のコア１０の側壁部１０Ｂの延出端と面で当接している。一方のコア１０の中央壁部１０Ｃの延出端は、他方のコア１０の中央壁部１０Ｃの延出端とは当接せずにこれらは所定の距離で離間している。
【００１７】
ボビン２０は、図２に示すように、絶縁樹脂により構成され略筒形状をなす略筒形状部２１を有している。略筒形状部２１は、当該略筒形状部２１の軸方向たるＸ軸方向に垂直な面で切った断面形状が略円形をなしている。略筒形状部２１の内周面により画成される空間にはコア１０の中央壁部１０Ｃが挿入されている。略筒形状部２１の軸方向における長さは１８ｍｍ程度である。略筒形状部２１は被巻回部に相当する。
【００１８】
略筒形状部２１の軸方向における一端及び他端には端子台３１、３２が設けられている。端子台３１、３２は、略筒形状部２１と同一の絶縁樹脂により構成されており、略筒形状部２１の断面形状を規定する略円形の円周の一部と一体をなしている。端子台３１、３２はＹ軸方向に平行な位置関係で延出している。
【００１９】
図３に示すように端子台３１の底面３１Ｚには、ピン支持部３１Ａ、３１Ｂ、３１Ｃ、３１Ｄ、３１Ｅ、３１Ｆと、端子電極３１Ｇ、３１Ｈ、３１Ｉ、３１Ｊ、３１Ｋ、３１Ｌと、巻線掛け壁部３１Ｍ、３１Ｎと、巻線掛け矩部３１Ｏ、３１Ｐ、３１Ｑ、３１Ｒ、３１Ｓとが設けられている。同様に、端子台３２の底面３２Ｚには、ピン支持部３２Ａ、３２Ｂ、３２Ｃ、３２Ｄ、３２Ｅ、３２Ｆと、端子電極３２Ｇ、３２Ｈ、３２Ｉ、３２Ｊ、３２Ｋ、３２Ｌと、巻線掛け壁部３２Ｍ、３２Ｎと、巻線掛け矩部３２Ｏ、３２Ｐ、３２Ｑ、３２Ｒ、３２Ｓとが設けられている。
【００２０】
巻線掛け壁部３１Ｍ、３１Ｎ、巻線掛け壁部３２Ｍ、３２Ｎは、端子台３１の底面３１ＺのＸ軸−方向端縁近傍位置、端子台３２の底面３２ＺのＸ軸＋方向端縁近傍位置のそれぞれにおいて、Ｙ軸方向における両端部分に計４つ設けられている。巻線掛け壁部３１Ｍ、３１Ｎ、３２Ｍ、３２Ｎは、板状をなしてＺ軸−方向へ突出しＹ軸方向へ延出している。端子台３１の巻線掛け壁部３１Ｍ、３１Ｎの基部は、Ｘ軸＋方向と巻線掛け壁部３１Ｍ、３１Ｎ同士を結ぶ方向とにそれぞれ広がる裾部３１Ｔ、３１Ｕを有している。同様に端子台３２の巻線掛け壁部３２Ｍ、３２Ｎの基部は、Ｘ軸−方向と巻線掛け壁部３２Ｍ、３２Ｎ同士を結ぶ方向とにそれぞれ広がる裾部３２Ｔ、３２Ｕを有している。裾部３１Ｔ、３１Ｕ、３２Ｔ、３２Ｕは掛け部に相当する。
【００２１】
巻線掛け矩部３１Ｏ、３１Ｐ、３１Ｑ、３１Ｒ、３１Ｓ巻線掛け矩部３２Ｏ、３２Ｐ、３２Ｑ、３２Ｒ、３２Ｓは、端子台３１の巻線掛け壁部３１Ｍ、３１Ｎ間、端子台３２の巻線掛け壁部３２Ｍ、３２Ｎ間において互いに所定の間隔を隔てて、且つ巻線掛け壁部３１Ｍ、３１Ｎ、巻線掛け壁部３２Ｍ、３２Ｎとの間にも所定の間隔を隔てて設けられている。巻線掛け矩部３１Ｏ、３１Ｐ、３１Ｑ、３１Ｒ、３１Ｓ、３２Ｏ、３２Ｐ、３２Ｑ、３２Ｒ、３２Ｓは略四角柱状をなしてＺ軸−方向へ突出している。巻線掛け矩部３１Ｏ、３１Ｐ、３１Ｑ、３１Ｒ、３２Ｏ、３２Ｐ、３２Ｑ、３２Ｒは掛け部に相当する。
【００２２】
ピン支持部３１Ａ、３１Ｂ、３１Ｃ、３１Ｄ、３１Ｅ、３１Ｆ、ピン支持部３２Ａ、３２Ｂ、３２Ｃ、３２Ｄ、３２Ｅ、３２Ｆは、端子台３１の底面３１ＺのＸ軸＋方向端縁近傍位置、端子台３２の底面３２ＺのＸ軸−方向端縁近傍位置のそれぞれにおいて、Ｙ軸方向の一端から他端に渡って等間隔で６つずつ設けられている。ピン支持部３１Ａ、３１Ｂ、３１Ｃ、３１Ｄ、３１Ｅ、３１Ｆ、ピン支持部３２Ａ、３２Ｂ、３２Ｃ、３２Ｄ、３２Ｅ、３２Ｆは、それぞれ略円柱形状をなして端子台３１、３２の底面３１Ｚ、３２ＺからＺ軸−方向へ突出しており、その突出端の周縁は面取りされている。
【００２３】
端子台３１、３２の底面３１Ｚ、３２Ｚからの突出量は、図４に示すように、Ｙ軸方向における両端のピン支持部３１Ａ、３１Ｆ、３２Ａ、３２Ｆでは小さく、これらは互いに同じ突出量となっている。これに対して当該両端間のピン支持部３１Ｂ、３１Ｃ、３１Ｄ、３１Ｅ、３２Ｂ、３２Ｃ、３２Ｄ、３２Ｅでは突出量は大きく、これらは互いに同じ突出量となっている。
【００２４】
端子台３１においてＹ軸方向端部から数えて２番目のピン支持部３１Ｂ、３１Ｅの突出量は、図４に示すように後述する巻線５０の引出部５０Ａを、裾部３１Ｔ、３１Ｕから後述のピン端子３１Ｇ、３１Ｌの周面上の位置であって後述の引出部５０Ａが後述のピン端子３１Ｇ、３１Ｌに巻回される位置へと仮想的に直線状に引出したときの当該仮想的な引出部５０Ａ´よりも、当該ピン支持部３１Ｂ、３１Ｅの突出端がＺ軸−側の位置となるような量である。ピン支持部３１Ａ、３１Ｆの突出量とピン支持部３１Ｂ、３１Ｃ、３１Ｄ、３１Ｅの突出量との差は１ｍｍ程度である。ピン支持部３１Ｂ、３１Ｅには、図３に示すように当該仮想的な引出部５０Ａ´、５０Ａ´が交差する。
【００２５】
同様に、端子台３２においてＹ軸方向端部から数えて２番目のピン支持部３２Ｂ、３２Ｅの突出量は、後述する巻線５０の引出部５０Ａを、裾部３２Ｔ、３２Ｕから後述のピン端子３２Ｇ、３２Ｌの周面上の位置であって後述の引出部５０Ａが後述のピン端子３２Ｇ、３２Ｌに巻回される位置へと仮想的に直線状に引出したときの当該仮想的な引出部５０Ａ´よりも、当該ピン支持部３２Ｂ、３２Ｅの突出端がＺ軸−側の位置となるような量である。ピン支持部３２Ａ、３２Ｆの突出量とピン支持部３２Ｂ、３２Ｃ、３２Ｄ、３２Ｅの突出量との差は１ｍｍ程度である。ピン支持部３２Ｂ、３２Ｅには、図３に示すように当該仮想的な引出部５０Ａ´、５０Ａ´がそれぞれ交差する。なお、図４に示す正面図においては、仮想的な引出部５０Ａ´は後述の引出部５０Ａと一致する。
【００２６】
ピン支持部３１Ａ、３１Ｂ、３１Ｃ、３１Ｄ、３１Ｅ、３１Ｆ、３２Ａ、３２Ｂ、３２Ｃ、３２Ｄ、３２Ｅ、３２Ｆの突出端には、それぞれピン端子からなる端子電極３１Ｇ、３１Ｈ、３１Ｉ、３１Ｊ、３１Ｋ、３１Ｌ、３２Ｇ、３２Ｈ、３２Ｉ、３２Ｊ、３２Ｋ、３２Ｌが設けられている。端子電極３１Ｇ、３１Ｈ、３１Ｉ、３１Ｊ、３１Ｋ、３１Ｌ、３２Ｇ、３２Ｈ、３２Ｉ、３２Ｊ、３２Ｋ、３２Ｌは、ピン支持部３１Ａ、３１Ｂ、３１Ｃ、３１Ｄ、３１Ｅ、３１Ｆ、３２Ａ、３２Ｂ、３２Ｃ、３２Ｄ、３２Ｅ、３２Ｆとそれぞれ同軸的な位置関係でピン支持部３１Ａ、３１Ｂ、３１Ｃ、３１Ｄ、３１Ｅ、３１Ｆ、３２Ａ、３２Ｂ、３２Ｃ、３２Ｄ、３２Ｅ、３２Ｆの突出端面からＺ軸−方向へ延出している。Ｚ軸方向において、端子台３１、３２の底面３１Ｚ、３２Ｚから端子電極３１Ｇ、３１Ｈ、３１Ｉ、３１Ｊ、３１Ｋ、３１Ｌ、端子電極３２Ｇ、３２Ｈ、３２Ｉ、３２Ｊ、３２Ｋ、３２Ｌの突出端までの高さはそれぞれ同一の値となっている。
【００２７】
巻線５０は、それぞれ絶縁被膜により被覆された６本の導線たる銅線により構成されている。６本の巻線５０のうちの１本目の巻線５０が略筒形状部２１の周面直上に巻回されている。その上に絶縁テープが、一本目の巻線５０が巻回された略筒形状部２１を覆うように巻回されている。そして、当該絶縁テープの上に２本目の巻線５０が巻回されており、その上に更に絶縁テープが巻回されている。このようにして６本目の巻線５０と最も最上層の絶縁テープ８０とに至るまで、巻線５０と絶縁テープとが交互に巻回されている。そして、６本の巻線５０の一端部、他端部は、それぞれ端子電極３１Ｇ、３１Ｈ、３１Ｉ、３１Ｊ、３１Ｋ、３１Ｌ、３２Ｇ、３２Ｈ、３２Ｉ、３２Ｊ、３２Ｋ、３２Ｌの一部であってピン支持部３１Ａ、３１Ｂ、３１Ｃ、３１Ｄ、３１Ｅ、３１Ｆ、３２Ａ、３２Ｂ、３２Ｃ、３２Ｄ、３２Ｅ、３２Ｆに支持されている基部の部分に巻回されはんだ付けにより電気的に接続されている。巻線５０の一部であって略筒形状部２１に巻回されている部分は巻回部をなし、巻回部から引出された部分及び端子電極３１Ｇ、３１Ｈ、３１Ｉ、３１Ｊ、３１Ｋ、３１Ｌ、３２Ｇ、３２Ｈ、３２Ｉ、３２Ｊ、３２Ｋ、３２Ｌにそれぞれ巻回され電気的に接続されている部分は引出部５０Ａをなす。
【００２８】
端子台３１において端子電極３１Ｇ、３１Ｌに電気的に接続されている引出部５０Ａは、より詳細には、図３に示すように巻回部から引出され、裾部３１Ｍ、３１Ｎに掛けられ、ピン支持部３１Ｂ、３１Ｅの側面に接触している。そして端子電極３１Ｇ、３１Ｌの一部であってピン支持部３１Ａ、３１Ｆに支持されている基部の部分に巻回され、引出部５０Ａの端部がはんだ付けにより当該端子電極３１Ｇ、３１Ｌの基部に電気的に接続されている。端子電極３１Ｈ、３１Ｉ、３１Ｊ、３１Ｋに電気的に接続された引出部５０Ａは、図３に示すように巻回部から引出され、巻線掛け矩部３１Ｏ、３１Ｐ、３１Ｑ、３１Ｒ、３１Ｓに掛けられ、端子電極３１Ｈ、３１Ｉ、３１Ｊ、３１Ｋの一部であってピン支持部３１Ｂ、３１Ｃ、３１Ｄ、３１Ｅに支持されている基部の部分に巻回されている。そして、引出部５０Ａの端部は、はんだ付けにより当該端子電極３１Ｈ、３１Ｉ、３１Ｊ、３１Ｋの基部に電気的に接続されている。端子台３２における引出部５０Ａについても端子台３１の引出部５０Ａと同様であるため説明を省略する。
【００２９】
各端子電極３１Ｇ、３１Ｈ、３１Ｉ、３１Ｊ、３１Ｋ、３１Ｌ、３２Ｇ、３２Ｈ、３２Ｉ、３２Ｊ、３２Ｋ、３２Ｌへの引出部５０Ａの端部のはんだ付けは、コイル部品１の製造工程において、各端子電極３１Ｇ、３１Ｈ、３１Ｉ、３１Ｊ、３１Ｋ、３１Ｌ、３２Ｇ、３２Ｈ、３２Ｉ、３２Ｊ、３２Ｋ、３２Ｌに巻回された巻線５０の引出部５０Ａの端部をはんだ浴槽に漬けることにより行われたものである。
より具体的には、ピン支持部３１Ａの突出端とピン支持部３１Ｂの突出端とを結ぶ方向がはんだ浴槽の液面に平行となっている状態を維持したまま、換言すれば端子台３１の延出方向をはんだ浴槽の液面に対して傾けた状態を維持したまま、はんだ浴槽に端子電極３１Ｇの突出端側から漬けてゆき、端子電極３１Ｇに巻回された引出部５０Ａの端部が端子電極３１Ｇにはんだ付けされると同時に端子電極３１Ｈに巻回された引出部５０Ａの端部が端子電極３１Ｈにはんだ付けされて電気的に接続される。端子電極３１Ｋ、３１Ｌについても同様である。
【００３０】
また、端子電極３１Ｉ、３１Ｊへの引出部５０Ａの端部のはんだ付けは、端子電極３１Ｉ、３１Ｊの突出方向がはんだ浴槽の液面に垂直な状態を維持したままはんだ浴槽に端子電極３１Ｉ、３１Ｊをその突出端から漬けてゆき、端子電極３１Ｉ、３１Ｊに巻回された引出部５０Ａ、５０Ａの端部を端子電極３１Ｉ、３１Ｊに同時にはんだ付けする。以上はんだ付けの方法は端子台３２の端子電極３２Ｇ、３２Ｈ、３２Ｋ、３２Ｌや、端子電極３２Ｉ、３２Ｊについても同様である。このようにはんだ付けされているため、ピン支持部３１Ａ、３１Ｂ、３１Ｃ、３１Ｄ、３１Ｅ、３１Ｆ、３２Ａ、３２Ｂ、３２Ｃ、３２Ｄ、３２Ｅ、３２Ｆ等に余計なはんだが付着することを防止することができる。
【００３１】
ピン支持部３１Ｂは仮想的な引出部５０Ａ´に交差し、端子台３１の底面３１Ｚからのピン支持部３１Ｂの突出量がピン支持部３１Ａの突出量よりも大きく、ピン支持部３１Ｂの突出量は、当該仮想的な引出部５０Ａ´よりもピン支持部３１Ｂの突出端が突出方向下流側たるＺ軸−側に位置する量であるため、端子電極３１Ｇに電気的に接続された巻線５０が、端子電極３１Ｈに干渉することを確実に防止することができる。
【００３２】
同様に、ピン支持部３１Ｅ、３２Ｂ、３２Ｅは仮想的な引出部５０Ａ´、５０Ａ´、５０Ａ´にそれぞれ交差し、端子台３１、３２の底面３１Ｚ、３２Ｚからのピン支持部３１Ｅ、３２Ｂ、３２Ｅの突出量がピン支持部３１Ｆ、３２Ａ、３２Ｆの突出量よりも大きく、ピン支持部３１Ｅ、３２Ｂ、３２Ｅの突出量は、仮想的な引出部５０Ａ´、５０Ａ´、５０Ａ´よりもピン支持部３１Ｅ、３２Ｂ、３２Ｅの突出端が突出方向下流側たるＺ軸−側に位置する量であるため、端子電極３１Ｌ、３２Ｇ、３２Ｌに電気的に接続された引出部５０Ａ、５０Ａ、５０Ａが、端子電極３１Ｋ、３２Ｈ、３２Ｋに干渉することを確実に防止することができる。
【００３３】
本発明のコイル部品は、上述した実施の形態に限定されず、特許請求の範囲に記載した範囲で種々の変形や改良が可能である。例えば、本実施の形態では、端子電極３１Ｇ、３１Ｌ、３２Ｇ、３２Ｌに電気的に接続された引出部５０Ａは、端子電極３１Ｇ、３１Ｌ、３２Ｇ、３２Ｌの一部であってピン支持部３１Ａ、３１Ｆ、３２Ａ、３２Ｆに支持されている基部の部分にそれぞれ巻回されていたが、巻回されるのは基部の部分のみに限定されない。例えば、基部の部分から、端子電極３１Ｇ、３１Ｌ、３２Ｇ、３２Ｌの一部であってピン支持部３１Ｂ、３１Ｅ、３２Ｂ、３２Ｅの突出端に相当する位置よりも端子電極３１Ｇ、３１Ｌ、３２Ｇ、３２Ｌの突出方向下流側たるＺ軸−側の部分に至るまで巻回されていてもよい。
【００３４】
このように巻回されていることで、コイル部品１の製造工程において、各端子電極３１Ｇ、３１Ｈ、３１Ｉ、３１Ｊ、３１Ｋ、３１Ｌ、３２Ｇ、３２Ｈ、３２Ｉ、３２Ｊ、３２Ｋ、３２Ｌに巻回された巻線５０の引出部５０Ａの端部をはんだ浴槽に漬けて端子電極３１Ｇ、３１Ｈ、３１Ｉ、３１Ｊ、３１Ｋ、３１Ｌ、３２Ｇ、３２Ｈ、３２Ｉ、３２Ｊ、３２Ｋ、３２Ｌにそれぞれ電気的に接続する際に、端子電極３１Ｇ、３１Ｈ、３１Ｉ、３１Ｊ、３１Ｋ、３１Ｌ、３２Ｇ、３２Ｈ、３２Ｉ、３２Ｊ、３２Ｋ、３２Ｌの突出方向をはんだ浴槽の液面に垂直な状態を維持したままはんだ浴槽に端子電極３１Ｇ、３１Ｈ、３１Ｉ、３１Ｊ、３１Ｋ、３１Ｌ、３２Ｇ、３２Ｈ、３２Ｉ、３２Ｊ、３２Ｋ、３２Ｌの突出端から漬けてゆき、端子電極３１Ｇ、３１Ｌ、３２Ｇ、３２Ｌに巻回された引出部５０Ａの端部を端子電極３１Ｇ、３１Ｌ、３２Ｇ、３２Ｌにはんだ付けすると同時に端子電極３１Ｈ、３１Ｉ、３１Ｊ、３１Ｋ、３２Ｈ、３２Ｉ、３２Ｊ、３２Ｋに巻回された引出部５０Ａの端部を端子電極３１Ｈ、３１Ｉ、３１Ｊ、３１Ｋ、３２Ｈ、３２Ｉ、３２Ｊ、３２Ｋにはんだ付けすることができる。
【００３５】
また、本実施の形態では、ピン支持部３１Ｂ、３１Ｅ、３２Ｂ、３２Ｅの突出量とピン支持部３１Ｃ、３１Ｄ、３２Ｃ、３２Ｄの突出量とは同一であったが、同一でなくてもよい。例えば、Ｙ軸−方向等の一の方向へ並んで配置された少なくとも３つのピン支持部について、当該一の方向において上流側に位置するピン支持部の突出量が下流側に位置するピン支持部の突出量よりも大きい関係を有して階段状をなしていてもよい。
【００３６】
具体的には、例えば、ピン支持部３１Ｃの突出量はピン支持部３１Ｂの突出量よりも大きくてもよい。このようにすることで、本実施の形態のように３つ以上の端子電極に引出部の端部がそれぞれ電気的に接続されている場合に、ピン支持部３１Ｂに支持されている端子電極３１Ｈに電気的に接続された巻線５０の引出部５０Ａが、ピン支持部３１Ｃに支持されている端子電極３１Ｉに干渉することを効果的に防止することができる。
【００３７】
また、巻線の本数、端子電極の数、ピン支持部の数、ボビンの形状、コアの形状は本実施の形態に限定されない。また、本実施の形態では、コイル部品１はトランスであったが、トランスに限定されない。
【産業上の利用可能性】
【００３８】
本発明のコイル部品は、特にボビンの端子台に設けられた複数の端子電極に、ボビンに巻回された複数の巻線が引出されて一端部、他端部がそれぞれ１本ずつ電気的に接続されているトランス等のコイル部品の分野において特に有用である。
【符号の説明】
【００３９】
１                  ・・・コイル部品
１０                ・・・コア
２０                ・・・ボビン
２１                ・・・略筒形状部
３１、３２          ・・・端子台
３１Ａ、３１Ｂ、３１Ｃ、３１Ｄ、３１Ｅ、３１Ｆ、３２Ａ、３２Ｂ、３２Ｃ、３２Ｄ、３２Ｅ、３２Ｆ      ・・・ピン支持部
３１Ｇ、３１Ｈ、３１Ｉ、３１Ｊ、３１Ｋ、３１Ｌ、３２Ｇ、３２Ｈ、３２Ｉ、３２Ｊ、３２Ｋ、３２Ｌ      ・・・端子電極
３１Ｍ、３１Ｎ、３２Ｍ、３２Ｎ          ・・・巻線掛け壁部
３１Ｏ、３１Ｐ、３１Ｑ、３１Ｒ、３１Ｓ、３２Ｏ、３２Ｐ、３２Ｑ、３２Ｒ、３２Ｓ      ・・・巻線掛け矩部
５０                ・・・巻線
５０Ａ              ・・・引出部５０Ａ
５０Ａ´            ・・・仮想的な引出部
【図１】
2011187620.tif 000003
【図２】
2011187620.tif 000004
【図３】
2011187620.tif 000005
【図４】
2011187620.tif 000006